(57)【特許請求の範囲】
【請求項１】
ベースユニット；
前記ベースユニットに結合されたミドルユニット；
前記ベースユニットと前記ミドルユニットの間に配置され、第１かみ合い部を備え、第１羽部と第２羽部が提供され、前記第１羽部と前記第２羽部の間に空間が提供されてストリングが巻かれる回転ユニット；
前記ミドルユニットに結合され、前記第１かみ合い部に結合されるか解除される第２かみ合い部を備えたカバーユニット；を含み、
前記カバーユニットの上面と前記カバーユニットの下面の間に提供され、第１逆回転防止部と第２逆回転防止部、そして係止部と対応係止部が配置される第１段；
前記第１羽部と前記第２羽部の間に提供され、前記ストリングが巻かれる前記空間が提供される第２段；を含み、
前記係止部は、弾性体が平面視にて三角形形状に配置される、ストリング巻取り装置。
【請求項２】
ベースユニット；
前記ベースユニットに結合されたミドルユニット；
前記ベースユニットと前記ミドルユニットの間に配置され、第１かみ合い部を備え、第１羽部と第２羽部が提供され、前記第１羽部と前記第２羽部の間に空間が提供されてストリングが巻かれる回転ユニット；
前記ミドルユニットに結合され、前記第１かみ合い部に結合されるか解除される第２かみ合い部を備えたカバーユニット；を含み、
前記カバーユニットの上面と前記カバーユニットの下面の間に提供され、第１逆回転防止部と第２逆回転防止部、そして係止部と対応係止部が配置される第１段；
前記第１羽部と前記第２羽部の間に提供され、前記ストリングが巻かれる前記空間が提供される第２段；を含み、
前記対応係止部は、前記カバーユニットに提供された中心軸に放射状方向に延長されたディスク形状に形成される、ストリング巻取り装置。
【請求項３】
ベースユニット；
前記ベースユニットに結合されたミドルユニット；
前記ベースユニットと前記ミドルユニットの間に配置され、第１かみ合い部を備え、第１羽部と第２羽部が提供され、前記第１羽部と前記第２羽部の間に空間が提供されてストリングが巻かれる回転ユニット；
前記ミドルユニットに結合され、前記第１かみ合い部に結合されるか解除される第２かみ合い部を備えたカバーユニット；を含み、
前記カバーユニットの上面と前記カバーユニットの下面の間に提供され、第１逆回転防止部と第２逆回転防止部、そして係止部と対応係止部が配置される第１段；
前記第１羽部と前記第２羽部の間に提供され、前記ストリングが巻かれる前記空間が提供される第２段；を含み、
前記対応係止部は、前記カバーユニットの側面に提供され、前記ミドルユニットの外周面側に向かって形成される、ストリング巻取り装置。
【請求項４】
ベースユニット；
前記ベースユニットに結合されたミドルユニット；
前記ベースユニットと前記ミドルユニットの間に配置され、第１かみ合い部を備え、第１羽部と第２羽部が提供され、前記第１羽部と前記第２羽部の間に空間が提供されてストリングが巻かれる回転ユニット；
前記ミドルユニットに結合され、前記第１かみ合い部に結合されるか解除される第２かみ合い部を備えたカバーユニット；を含み、
前記カバーユニットの上面と前記カバーユニットの下面の間に提供され、第１逆回転防止部と第２逆回転防止部、そして係止部と対応係止部が配置される第１段；
前記第１羽部と前記第２羽部の間に提供され、前記ストリングが巻かれる前記空間が提供される第２段；を含み、
前記対応係止部は、前記ミドルユニットに提供され、
前記係止部は、前記カバーユニットに提供される、ストリング巻取り装置。
【請求項５】
ベースユニット；
前記ベースユニットに結合されたミドルユニット；
前記ベースユニットと前記ミドルユニットの間に配置され、第１かみ合い部を備え、第１羽部と第２羽部が提供され、前記第１羽部と前記第２羽部の間に空間が提供されてストリングが巻かれる回転ユニット；
前記ミドルユニットに結合され、前記第１かみ合い部に結合されるか解除される第２かみ合い部を備えたカバーユニット；を含み、
前記カバーユニットの上面と前記カバーユニットの下面の間に提供され、第１逆回転防止部と第２逆回転防止部、そして係止部と対応係止部が配置される第１段；
前記第１羽部と前記第２羽部の間に提供され、前記ストリングが巻かれる前記空間が提供される第２段；を含み、
前記係止部は、上部係止部と、前記上部係止部の下部に一定の間隔を維持して配置される下部係止部とを含む、ストリング巻取り装置。
【請求項６】
ベースユニット；
前記ベースユニットに回転可能に結合され、第１羽部と第２羽部を備え、前記第１羽部と前記第２羽部の間にストリングが巻かれる空間が提供されるカバーユニット；を含み、
前記カバーユニットの上面と前記カバーユニットに提供された前記第２羽部の間に、第１逆回転防止部と第２逆回転防止部、係止部と対応係止部、そしてストリングが巻かれる前記空間部が提供される第１段からなるストリング巻取り装置。
【請求項７】
前記対応係止部は、前記ベースユニットに提供され、
前記係止部は、前記カバーユニットに提供される、請求項６に記載のストリング巻取り装置。
【請求項８】
前記対応係止部は、前記第１羽部に提供され、
前記係止部は、前記ベースユニットに提供される、請求項６に記載のストリング巻取り装置。
【請求項９】
ベースユニット；
前記ベースユニットに結合され、ストリングが巻かれる空間が提供されたカバーユニット；
前記ベースユニットに結合される係止および逆回転防止用弾性部材；を含み、
前記係止および逆回転防止用弾性部材は、前記カバーユニットとの相互作用によって前記カバーユニットの逆回転を防止するか、または前記ベースユニットと前記カバーユニットが互いにかみ合うか、かみ合い状態を解除させるストリング巻取り装置。
【請求項１０】
ベースユニット；
前記ベースユニットに結合され、ストリングが巻かれる空間が提供されたカバーユニット；
前記ベースユニットに結合される係止および逆回転防止用弾性部材；を含み、
前記ベースユニットには、前記係止および逆回転防止用弾性部材が嵌合される嵌合部が提供され、
前記係止および逆回転防止用弾性部材は、線状材がベンディングされて少なくとも一つ以上の係止部と第１逆回転防止部を備え、
前記カバーユニットには、前記係止部に対応する対応係止部が提供され、前記第１逆回転防止部に結合されるか解除される第２逆回転防止部が提供されるストリング巻取り装置。
【請求項１１】
前記係止部は、ラウンド形状にベンディングされて前記ベースユニットの内側に配置され、
前記第１逆回転防止部は、前記係止部の間に突出する形状にベンディングされ前記ベースユニットの外側に突出して配置される、請求項１０に記載のストリング巻取り装置。
【請求項１２】
前記カバーユニットは、放射状に延長される第１羽部と第２羽部を備え、前記第１羽部と前記第２羽部の間に空間が提供されていてストリングが巻き取られ、
前記対応係止部は、前記第１羽部に提供される、請求項１０に記載のストリング巻取り装置。
【請求項１３】
前記第２逆回転防止部は、前記カバーユニットの内周面に沿って傾斜したギヤの歯形状に形成され、前記ギヤの歯の間に前記第１逆回転防止部が嵌合される、請求項１０に記載のストリング巻取り装置。
【請求項１４】
前記嵌合部は、前記ベースユニットの円周方向に沿う長孔からなり、
前記長孔は、間隔を置いて配置される、請求項１０に記載のストリング巻取り装置。
【請求項１５】
ベースユニット；
前記ベースユニットに結合され、ストリングが巻かれる空間が提供されたカバーユニット；
前記ベースユニットに結合される係止部；
前記ベースユニットに結合される第１逆回転防止部；を含み、
前記ベースユニットには、前記係止部が嵌合される第１嵌合部が提供され、前記第１逆回転防止部が嵌合される第２嵌合部が提供され、
前記係止部は、弾性体から形成される線状材がベンディングされてラウンドを成し、前記ベースユニットの内側に配置され、
前記第１逆回転防止部は、板状の弾性体がベンディングされて形成され、先端部が前記ベースユニットの外側に突出して配置され、
前記カバーユニットには、前記係止部に対応する対応係止部が提供され、前記第１逆回転防止部に結合されるか解除される第２逆回転防止部が提供されるストリング巻取り装置。
【請求項１６】
前記カバーユニットは、放射状に延長される第１羽部と第２羽部を備え、前記第１羽部と前記第２羽部の間に空間が提供されていてストリングが巻き取られ、
前記対応係止部は、前記第１羽部または前記第２羽部に提供される、請求項１５に記載のストリング巻取り装置。
【請求項１７】
前記第２逆回転防止部は、前記カバーユニットの内周面に沿って傾斜したギヤの歯形状に形成され、前記ギヤの歯の間に前記第１逆回転防止部が嵌合される、請求項１５に記載のストリング巻取り装置。
【請求項１８】
前記第１嵌合部は、前記ベースユニットの円周方向に沿う長孔からなり、
前記長孔は、間隔を置いて配置され、
前記第２嵌合部は、前記第１嵌合部と前記カバーユニットの間に提供される、請求項１５に記載のストリング巻取り装置。
【請求項１９】
ベースユニット；
前記ベースユニットに結合され、ストリングが巻かれる空間が提供されたカバーユニット；
前記ベースユニットに結合される係止部；
前記カバーユニットに結合される第１逆回転防止部；を含み、
前記ベースユニットには、前記係止部が嵌合される嵌合部が提供され、前記第１逆回転防止部に結合されるか解除される第２逆回転防止部が提供され、
前記係止部は、少なくとも一つ以上からなり、弾性体から形成される線状材がベンディングされてラウンドを成し、前記ベースユニットの内側に配置され、
前記第１逆回転防止部は、弾性体がベンディングされて形成され、先端部が前記ベースユニットの内側面に向かって配置され、
前記カバーユニットには、前記第１逆回転防止部が結合される結合溝部が提供され、前記係止部に対応する対応係止部が提供されるストリング巻取り装置。
【請求項２０】
前記カバーユニットに提供される前記結合溝部は、前記カバーユニットの底面に前記ベースユニットに向かって開口部を成す長溝からなる、請求項１９に記載のストリング巻取り装置。
【請求項２１】
前記第１逆回転防止部は、板状の弾性体から形成され、両端がベンディングされて互いに反対方向に向かって配置される、請求項１９に記載のストリング巻取り装置。
【請求項２２】
前記第２逆回転防止部は、前記ベースユニットの内周面に沿って連続的なギヤの歯形状に形成され、前記ギヤの歯は傾斜して前記第１逆回転防止部の末端にかかって前記カバーユニットを一方向に移動させる、請求項１９に記載のストリング巻取り装置。
【請求項２３】
ベース板と、前記ベース板に結合される下部ハウジングとを含むベースユニット；
前記下部ハウジングの内部に配置され、ストリングが巻かれる回転ユニット；
前記下部ハウジングに結合され、弾性体から形成される第１逆回転防止部；
前記下部ハウジングに結合され、線状の弾性体から形成される係止部；
前記回転ユニットの上側に配置されるカバーユニット；そして
前記ベースユニット、前記回転ユニット、及び前記カバーユニットを結合させるシャフト；を含み、
前記回転ユニットは、放射状に延長される第１羽部と第２羽部を備え、前記第１羽部と前記第２羽部の間に空間が提供されていてストリングが巻き取られ、
前記係止部に対応し、前記カバーユニットを前記ベース板方向に移動させるかその反対方向に移動させるための対応係止部は、前記第１羽部または前記第２羽部に提供される、ストリング巻取り装置。
【請求項２４】
前記カバーユニットには、その内周面に沿って傾斜したギヤの歯形状の第２逆回転防止部が形成され、前記ギヤの歯の間に前記第１逆回転防止部の先端部が嵌合される、請求項２３に記載のストリング巻取り装置。
【請求項２５】
請求項１ないし２４のうちのいずれか一項に記載されたストリング巻取り装置を用いた履物。
【請求項２６】
請求項１ないし２４のうちのいずれか一項に記載されたストリング巻取り装置を用いた服。
【発明の詳細な説明】
【技術分野】
【０００１】
本発明は、構成が単純でありながらも維持補修が容易なストリング巻取り装置に関するものである。
【背景技術】
【０００２】
一般に履物、カバン、リュックサック、衣服などにはストリングやこれと類似したものを用いた締め／緩め手段が備えられる。例えば、履物の場合、ストリングがジグザグ形式に連結されるように装着され、そのようなストリングを引いて締めることによって履物を使用者の足に密着させることができる。
【０００３】
しかし、履物を履くか脱ぐたびにストリングを緩めるか締めることは非常に煩わしいため、履物が使用者の足に完全に密着しないようにストリングを十分に引いて締めないまま履物を着用するようになるのが一般的である。この場合、運動などのために履物が使用者の足に完全に密着するようにする時にはストリングを再び引いて締め、その後に再びストリングを緩めて緩くなるようにするなど、使用者にとって不便である。また、歩行や運動中にストリングの結びが緩む場合、再びストリングを結ばなければならないなどの不便さが存在するという問題点があった。
【０００４】
また、ストリング巻取り装置の全体高さを減らして活用度を高める必要があるが、これに十分に対応しない問題点があった。
【発明の概要】
【発明が解決しようとする課題】
【０００５】
したがって、本発明は前記問題点を解決するために提案されたものであって、本発明の目的は、構成が単純でありながらも維持補修が容易なストリング巻取り装置を提供することを目的とする。しかし、このような課題は例示的なものであって、これによって本発明の範囲が限定されるものではない。
【０００６】
本発明の他の目的は、高さを減らしてカバンやリュックサックのみならず補正下着などにも使用できるようにして製品の活用度を高めることができるストリング巻取り装置を提供することにある。
【課題を解決するための手段】
【０００７】
前記のような本発明の目的を達成するために、本発明は、ベースユニット；前記ベースユニットに結合されたミドルユニット；前記ベースユニットと前記ミドルユニットの間に配置され、第１かみ合い部を備え、第１羽部と第２羽部が提供され、前記第１羽部と前記第２羽部の間に空間が提供されてストリングが巻かれる回転ユニット；前記ミドルユニットに結合され、前記第１かみ合い部に結合されるか解除される第２かみ合い部を備えるカバーユニットを含み、前記カバーユニットの上面と前記カバーユニットの下面の間に提供され、第１逆回転防止部と第２逆回転防止部、そして係止部と対応係止部が配置される第１段；前記第１羽部と前記第２羽部の間に提供され、前記ストリングが巻かれる前記空間が提供される第２段を含むストリング巻取り装置を提供する。
【０００８】
前記係止部は、弾性体から形成され、２つが対を成して平行に配置され、前記ミドルユニットまたは前記カバーユニットに配置されることが好ましい。
【０００９】
前記係止部は、弾性体が平面視にて三角形形状に配置されることが好ましい。
【００１０】
前記対応係止部は、前記カバーユニットに提供された中心軸に放射状方向に延長されたディスク形状に形成されることが好ましい。
【００１１】
前記対応係止部は、前記カバーユニットの側面に提供され、前記ミドルユニットの外周面側に向かって形成されることが好ましい。
【００１２】
前記対応係止部は前記ミドルユニットに提供され、前記係止部は前記カバーユニットに提供されることが好ましい。
【００１３】
前記係止部は、上部係止部と、前記上部係止部の下部に一定の間隔を維持して配置される下部係止部とを含むことが好ましい。
【００１４】
本発明は、ベースユニット；前記ベースユニットに回転可能に結合され、第１羽部と第２羽部を備え、前記第１羽部と前記第２羽部の間にストリングが巻かれる空間が提供されるカバーユニット；を含み、前記カバーユニットの上面と前記カバーユニットに提供された前記第２羽部の間に、第１逆回転防止部と第２逆回転防止部、係止部と対応係止部、そしてストリングが巻かれる前記空間部が提供される第１段からなるストリング巻取り装置を提供する。
【００１５】
前記対応係止部は前記ベースユニットに提供され、前記係止部は前記カバーユニットに提供されることが好ましい。
【００１６】
前記対応係止部は前記第１羽部に提供され、前記係止部は前記ベースユニットに提供されることが好ましい。
【００１７】
本発明は、ベースユニット；前記ベースユニットに結合され、ストリングが巻かれる空間が提供されたカバーユニット；前記ベースユニットに結合される係止および逆回転防止用弾性部材；を含み、前記係止および逆回転防止用弾性部材は、前記カバーユニットとの相互作用によって前記カバーユニットの逆回転を防止するかまたは前記ベースユニットと前記カバーユニットが互いにかみ合うかまたはかみ合い状態を解除させるストリング巻取り装置を提供する。
【００１８】
本発明は、ベースユニット；前記ベースユニットに結合され、ストリングが巻かれる空間が提供されたカバーユニット；前記ベースユニットに結合される係止および逆回転防止用弾性部材；を含み、前記ベースユニットには前記係止および逆回転防止用弾性部材が嵌合される嵌合部が提供され、前記係止および逆回転防止用弾性部材は線状材がベンディングされて少なくとも一つ以上の係止部と第１逆回転防止部を備え、前記カバーユニットには前記係止部に対応する対応係止部が提供され、前記第１逆回転防止部に結合されるか解除される第２逆回転防止部が提供されるストリング巻取り装置を提供する。
【００１９】
前記係止部はラウンド形状にベンディングされて前記ベースユニットの内側に配置され、前記第１逆回転防止部は前記係止部の間に突出する形状にベンディングされ前記ベースユニットの外側に突出して配置されることが好ましい。
【００２０】
前記カバーユニットは放射状に延長される第１羽部と第２羽部を備え、前記第１羽部と前記第２羽部の間に空間が提供されていてストリングが巻き取られ、前記対応係止部は前記第１羽部に提供されることが好ましい。
【００２１】
前記第２逆回転防止部は前記カバーユニットの内周面に沿って傾斜したギヤの歯形状に形成され、前記ギヤの歯の間に前記第１逆回転防止部が嵌合されることが好ましい。
【００２２】
前記嵌合部は前記ベースユニットの円周方向に沿う長孔からなり、前記長孔は間隔を置いて配置されることが好ましい。
【００２３】
本発明は、ベースユニット；前記ベースユニットに結合され、ストリングが巻かれる空間が提供されたカバーユニット；前記ベースユニットに結合される係止部；前記ベースユニットに結合される第１逆回転防止部；を含み、前記ベースユニットには前記係止部が嵌合される第１嵌合部が提供され、前記第１逆回転防止部が嵌合される第２嵌合部が提供され、前記係止部は弾性体から形成される線状材がベンディングされてラウンドを成し、前記ベースユニットの内側に配置され、前記第１逆回転防止部は板状の弾性体がベンディングされて形成され、先端部が前記ベースユニットの外側に突出して配置され、前記カバーユニットには前記係止部に対応する対応係止部が提供され、前記第１逆回転防止部に結合されるか解除される第２逆回転防止部が提供されるストリング巻取り装置を提供する。
【００２４】
前記カバーユニットは放射状に延長される第１羽部と第２羽部を備え、前記第１羽部と前記第２羽部の間に空間が提供されていてストリングが巻き取られ、前記対応係止部は前記第１羽部または前記第２羽部に提供されることが好ましい。
【００２５】
前記第２逆回転防止部は前記カバーユニットの内周面に沿って傾斜したギヤの歯形状に形成され、前記ギヤの歯の間に前記第１逆回転防止部が嵌合されることが好ましい。
【００２６】
前記第１嵌合部は前記ベースユニットの円周方向に沿う長孔からなり、前記長孔は間隔を置いて配置され、前記第２嵌合部は、前記第１嵌合部と前記カバーユニットの間に提供されることが好ましい。
【００２７】
本発明は、ベースユニット；前記ベースユニットに結合され、ストリングが巻かれる空間が提供されたカバーユニット；前記ベースユニットに結合される係止部；前記カバーユニットに結合される第１逆回転防止部；を含み、前記ベースユニットには前記係止部が嵌合される嵌合部が提供され、前記第１逆回転防止部に結合されるか解除される第２逆回転防止部が提供され、前記係止部は、少なくとも一つ以上からなり、弾性体から形成される線状材がベンディングされてラウンドを成し、前記ベースユニットの内側に配置され、前記第１逆回転防止部は、弾性体がベンディングされて形成され、先端部が前記ベースユニットの内側面に向かって配置され、前記カバーユニットには前記第１逆回転防止部が結合される結合溝部が提供され、前記係止部に対応する対応係止部が提供されるストリング巻取り装置を提供する。
【００２８】
前記カバーユニットに提供される前記結合溝部は、前記カバーユニットの底面に前記ベースユニットに向かって開口部を成す長溝からなってもよい。
【００２９】
前記第１逆回転防止部は板状の弾性体から形成され、両端がベンディングされて互いに反対方向に向かって配置されることが好ましい。
【００３０】
前記第２逆回転防止部は前記ベースユニットの内周面に沿って連続的なギヤの歯形状に形成され、前記ギヤの歯は傾斜して前記第１逆回転防止部の末端にかかって前記カバーユニットを一方向に移動させることが好ましい。
【００３１】
本発明は、ベース板と、前記ベース板に結合される下部ハウジングとを含むベースユニット；前記下部ハウジングの内部に配置され、ストリングが巻かれる回転ユニット；前記下部ハウジングに結合され、弾性体から形成される第１逆回転防止部；前記下部ハウジングに結合され、線状の弾性体から形成される係止部；前記回転ユニットの上側に配置されるカバーユニット；そして前記ベースユニット、前記回転ユニット、及び前記カバーユニットを結合させるシャフト；を含むストリング巻取り装置を提供する。
【００３２】
前記回転ユニットは放射状に延長される第１羽部と第２羽部を備え、前記第１羽部と前記第２羽部の間に空間が提供されていてストリングが巻き取られ、前記係止部に対応し、前記カバーユニットを前記ベース板方向に移動させるかその反対方向に移動させるための対応係止部は前記第１羽部または前記第２羽部に提供されてもよい。
【００３３】
前記カバーユニットには、その内周面に沿って傾斜したギヤの歯形状の第２逆回転防止部が形成され、前記ギヤの歯の間に前記第１逆回転防止部の先端部が嵌合されることが好ましい。
【発明の効果】
【００３４】
このような本発明の実施形態は構成が単純でありながらも維持補修が容易なストリング巻取りおよび巻出装置を実現することができる。もちろん、このような効果によって本発明の範囲が限定されるのではない。
【００３５】
また、本発明は構成を簡単にすると同時に高さを減らしてカバンやリュックサックのみならず補正下着などに使用できるようにし製品の活用度を高めることができる。
【図面の簡単な説明】
【００３６】
【図１】本発明の第１実施形態を説明するためにストリング巻取り装置の全体的な外形を示した図である。
【図２】図１のＩＩ−ＩＩ部を切断して見た断面図である。
【図３】本発明の第１実施形態を説明するために図２のＡ−Ａ´部を切断して見た平面図である。
【図４】図３の他の例示である。
【図５】本発明の第１実施形態の作動過程を説明するためにカバーユニットをミドルユニットから引き出した状態を示した図である。
【図６】本発明の第１実施形態の他の例示を説明するための断面図である。
【図７】本発明の第２実施形態を説明するための断面図である。
【図８】図７の作動過程を説明するための図である。
【図９】本発明の第３実施形態を説明するための断面図である。
【図１０】図９の作動過程を説明するための図である。
【図１１】本発明の第４実施形態を説明するための断面図である。
【図１２】図１１の作動過程を説明するための図である。
【図１３】本発明の第５実施形態を説明するための断面図である。
【図１４】図１３の作動過程を説明するための図である。
【図１５】本発明の第６実施形態を説明するための断面図である。
【図１６】図１５の作動過程を説明するための図である。
【図１７】本発明の第７実施形態を説明するためにストリング巻取り装置を示した斜視図である。
【図１８】図１７の主要部を分解して示した分解斜視図である。
【図１９】図１７の主要部を分解して示した分解斜視図である。
【図２０】図１７を縦方向に切断して見た断面図である。
【図２１】図１７の主要部を示した底面斜視図である。
【図２２】本発明の第８実施形態を説明するためにストリング巻取り装置を示した斜視図である。
【図２３】図２２の分解斜視図である。
【図２４】図２３の主要部を示した底面斜視図である。
【図２５】図２２のストリング巻取り装置を縦方向に切断して見た断面図である。
【図２６】本発明の第９実施形態を説明するためにストリング巻取り装置を示した斜視図である。
【図２７】図２６に示したストリング巻取り装置を分解して示した分解斜視図である。
【図２８】図２７の主要部を示した底面斜視図である。
【図２９】図２６に示したストリング巻取り装置を縦方向に切断して見た断面図である。
【図３０】本発明の第１０実施形態を説明するためにストリング巻取り装置を示した斜視図である。
【図３１】図３０に示したストリング巻取り装置の分解斜視図である。
【図３２】図３０の主要部を示した底面斜視図である。
【図３３】図３０に示したストリング巻取り装置を縦方向に切断して見た断面図である。
【発明を実施するための形態】
【００３７】
以下、添付した図面を参照して本発明の実施形態について本発明の属する技術分野における通常の知識を有する者が容易に実施できるように詳細に説明する。しかし、本発明は様々な他の形態に実現でき、ここで説明する実施形態に限定されない。図面において本発明を明確に説明するために説明上不必要な部分は省略し、明細書全体にわたって同一または類似の構成要素については同一の参照符号を付与することにする。
【００３８】
以下の実施形態で、ｘ軸、ｙ軸およびｚ軸は直交座標系上の三軸に限定されず、これを含む広い意味に解釈することができる。例えば、ｘ軸、ｙ軸およびｚ軸は互いに直交してもよいが、互いに直交しない互いに異なる方向を称することもできる。
【００３９】
一方、層、膜、領域、板などの各種構成要素が他の構成要素“上に”あるという時、これは他の構成要素“真上に”ある場合だけでなく、その間に他の構成要素が介された場合も含む。
【００４０】
図１は本発明の第１実施形態を説明するための斜視図であり、図２は図１のＩＩ−ＩＩ部を切断して見た断面図であって、ストリング巻取り装置を示している。
【００４１】
本発明のストリング巻取り装置は、ベースユニット１００、ベースユニットに結合されるミドルユニット２００、ベースユニット１００に対して回転可能にベースユニット１００またはミドルユニット２００内に位置する回転ユニット３００、ミドルユニット２００に回転可能に結合されるカバーユニット４００を含むことができる。
【００４２】
ベースユニット１００は、例えば円板のような板形状を有するベース板１１０とシリンダー形状の下部ハウジング１２０を有する。もちろん、ベース板１１０の形状は円板に限定されず、多様な形状の板状形状を有してもよい。そして、ここでシリンダー形状は中空の円筒と類似の形状と理解できる。このような下部ハウジング１２０はベース板１１０の上面（＋ｚ方向）に配置されてもよい。このようなベース板１１０と下部ハウジング１２０は樹脂などから一体に形成されてもよい。
【００４３】
下部ハウジング１２０は、第２側面貫通ホール１２２を有する。もちろん、下部ハウジング１２０は、必要に応じて図２に示されているように第１側面貫通ホール１２１を有してもよい。この場合、第１側面貫通ホール１２１は、第２側面貫通ホール１２２よりベース板１１０の近くに配置されてもよい。そして、下部ハウジング１２０はほぼ互いに対向するように二つの第１側面貫通ホール１２１を有し、また二つの第２側面貫通ホール１２２を有するものとして示しているが、これは例示に過ぎないものであり、第１側面貫通ホール１２１および第２側面貫通ホール１２２はそれぞれ少なくとも１つ以上でさえあれば機能を発揮することができる。図２では第１側面貫通ホール１２１がｙ軸方向の直線上に位置し、第２側面貫通ホール１２２もｙ軸方向の直線上に位置するものと示しているが、これは一例示であり、ほぼ直線上に整列されてもよい。一方、図２では第１側面貫通ホール１２１と第２側面貫通ホール１２２が上下に平行に位置するものとして示しているが、本発明の第１実施形態はこれに限定されるのではない。例えば、第１側面貫通ホール１２１は、図２に示されているように、ほぼｙ軸方向の直線上に位置し、第２側面貫通ホール１２２はほぼｘ軸方向の直線上に配置されてもよい。
【００４４】
ベースユニット１００のベース板１１０の下部ハウジング１２０の外側部分にはｚ軸方向の中心軸を有する複数の通孔１１１が形成され得る。この通孔１１１は、本発明の第１実施形態によるストリング巻取り装置を履物などに装着する時、ベース板１１０が履物などに固定されるようにする締結具が通過できる。
【００４５】
一方、ベースユニット１００は、図２に示したように、下部ハウジング１２０の内面で下部ハウジング１２０の中心方向に突出した回転支持部１３０をさらに有してもよい。この回転支持部１３０の上面には上部（＋ｚ方向）に突出した回転支持突出部１３２が形成され得る。この回転支持部１３０と回転支持突出部１３２は、回転ユニット３００がベースユニット１００に対して回転する時に回転が円滑になるように支持することができる。
【００４６】
ミドルユニット２００は、シリンダー形状の上部ハウジング２１０を有する。中空の円筒と類似の形状として理解できるシリンダー形状の上部ハウジング２１０は、ベースユニット１００の下部ハウジング１２０に結合され得る。
【００４７】
このようなミドルユニット２００はまた、必要に応じて隔壁２４０を含むことができる。
【００４８】
上部ハウジング２１０の一側には、−ｙ方向またはストリング巻取り装置の回転中心方向に第１逆回転防止部２５０が配置され得る。
【００４９】
第１逆回転防止部２５０は鋸歯形態に形成された連続的な突起部からなり、この突起部の一側面が傾斜面に形成されて一方向にのみ回転できる構造に形成され得る。
【００５０】
このような上部ハウジング２１０、隔壁２４０および第１逆回転防止部２５０は、樹脂などから一体に形成され得る。
【００５１】
回転ユニット３００はベースユニット１００の下部ハウジング１２０の内部に位置し、ベースユニット１００に対して回転可能に配置され得る。ここで、回転ユニット３００が下部ハウジング１２０の内部に位置するとは、回転ユニット３００の少なくとも一部が下部ハウジング１２０の内部に位置するという意味であって、回転ユニット３００の一部が下部ハウジング１２０上部の上部ハウジング２１０内に配置され得るなど多様な形態に変形が可能である。
【００５２】
回転ユニット３００は、＋ｚ方向上面に第１かみ合い部３１０を有する。第１かみ合い部３１０が凹溝形状であるものとして示しているが、凸状に突出した形状であってもよいなどの変形が可能であるのはもちろんである。このような第１かみ合い部３１０が後述するカバーユニット４００の第２かみ合い部４５０とかみ合う場合、回転ユニット３００はカバーユニット４００と共に回転できる。この時、第１かみ合い部３１０と第２かみ合い部４５０が互いにかみ合っているにもかかわらず回転ユニット３００とカバーユニット４００が互いに対して空回りすることを防止するために、第１かみ合い部３１０と第２かみ合い部４５０の形状（ｘｙ平面基準）は多角形、楕円または非対称的に歪んだ円などの多様な形状を有するようにすることができる。また、第１かみ合い部３１０と第２かみ合い部４５０のｘｙ平面での形状は少なくとも１つ以上のピンとピン孔が対応する構造で構成され、ピンとピン孔の嵌合結合で回転ユニット３００とカバーユニット４００を互いに結合させることができる。
【００５３】
回転ユニット３００は、第１羽部３２１と第２羽部３２２を備えることができる。第１羽部３２１と第２羽部３２２は互いに一定の間隔を維持し、その間にはストリングが巻かれる空間が設けられ得る。
【００５４】
このような第１羽部３２１と第２羽部３２２の間の空間には回転ユニット３００の回転によってストリングが巻き取られ得る。即ち、第１羽部３２１と第２羽部３２２は回転ユニット３００の回転方向によってストリングが巻き取られるときに巻き取られたストリングが位置する空間を成す。
【００５５】
一方、回転ユニット３００は必要に応じて第２羽部３２２よりベース板１１０にさらに近いように（−ｚ方向の）下部に位置し、第２羽部３２２と同様に放射方向に突出した第３羽部３２３をさらに含むことができる。さらに、この第３羽部３２３の底面が平らであって、第３羽部３２３の底面の一部がベースユニット１００のベース板１１０の（＋ｚ方向）上面に接触するか近距離で隣接した状態で配置され得る。したがって、回転ユニット３００がベース板１１０に対して安定的に回転できる。
【００５６】
回転ユニット３００は、第２羽部３２２の（−ｚ方向）下部に位置し回転ユニット３００を貫通する第１貫通ホール３３１を有し得る。第１貫通ホール３３１はベースユニット１００の第１側面貫通ホール１２１に対応できる。ここで、第１貫通ホール３３１が第１側面貫通ホール１２１に対応するということは、ベース板１１０から第１貫通ホール３３１の高さとベース板１１０から第１側面貫通ホール１２１の高さがほぼ同一であるということを意味する。
【００５７】
回転ユニット３００は、第１羽部３２１と第２羽部３２２の間の空間で回転ユニット３００を貫通する第２貫通ホール３３２を有し得る。第２貫通ホール３３２はベースユニット１００の第２側面貫通ホール１２２に対応できる。ここで、第２貫通ホール３３２が第２側面貫通ホール１２２に対応するということは、ベース板１１０から第２貫通ホール３３２の高さとベース板１１０から第２側面貫通ホール１２２の高さがほぼ同一であるということを意味する。
【００５８】
履物または補正下着などに提供されたストリング（図示せず）はベースユニット１００の複数の第２側面貫通ホール１２２のうちのいずれか一つを通過して回転ユニット３００の第２貫通ホール３３２を貫通して第２側面貫通ホール１２２のうちの他の一つを通過することができる。本発明の第１実施形態の他の例示として、ストリングは回転ユニット３００の第２貫通ホール３３２を通過した後、ベースユニット１１０の内部で固定されてもよい。これによって、回転ユニット３００がカバーユニット４００に噛み合って一方向に回転する場合、ストリングは回転ユニット３００に巻き取られる。具体的に、ストリングは回転ユニット３００の第１羽部３２１と第２羽部３２２の間に提供された空間に巻き取られる。これによって、履物または補正下着などのストリングを回転ユニット３００に巻き取ることができる。この時、カバーユニット４００とミドルユニット２００にそれぞれ提供された第１逆回転防止部２５０と第２逆回転防止部４６０が互いに結合され得る。第１逆回転防止部２５０と第２逆回転防止部４６０は一方向に回転でき、回転が止まった場合にはその位置で互いに固定される。即ち、第２逆回転防止部４６０は一部が突出する突出部からなり、第１逆回転防止部２５０に対して一方向にのみ回転する構造で構成され得る。
【００５９】
もちろん、このような状態で回転ユニット３００がカバーユニット４００から離隔する場合、第１逆回転防止部２５０と第２逆回転防止部４６０は互いに離れて巻取り状態が解除され得る。この時、回転ユニット３００は両方向に回転でき、これによって回転ユニット３００に巻き取られたストリングが回転ユニット３００の外周面から巻き出され得る。
【００６０】
もちろん、本発明はこれに限定されるのではなく、回転ユニット３００が第２貫通ホール３３２を有しなくてもよい。この場合、履物または補正下着などのストリングの一端はベースユニット１００の複数の第２側面貫通ホール１２２のうちのいずれか一つを通過して回転ユニット３００に固定され、履物などのストリングの他端はベースユニット１００の複数の第２側面貫通ホール１２２のうちの他の一つを通過して回転ユニット３００に固定されるようにしてもよい。この場合、ストリングの一端と他端の固定のために、回転ユニット３００はストリングを固定するために少なくとも一つの固定突出部を有し得る。
【００６１】
回転ユニット３００は回転する時にベースユニット１００に対して相対的に回転でき、回転ユニット３００の回転安全性を高めることが好ましい。このためにベースユニット１００の回転支持部１３０と回転支持突出部１３２が、回転ユニット３００の第２羽部３２２と相互作用するようにすることができる。例えば、回転ユニット３００が第２羽部３２２の放射方向末端に下方（−ｚ方向）に突出した回転突出部３２２ａを有し、第２羽部３２２の下方（−ｚ方向）の面のうちの回転突出部３２２ａに隣接した部分がベースユニット１００の回転支持突出部１３２に隣接するか回転支持突出部１３２に接触するようにすることによって、回転ユニット３００が回転する時、回転ユニット３００の回転中心軸の位置がベースユニット１００に対して相対的に動かず一定にすることができる。
【００６２】
このような回転ユニット３００は、合成樹脂材または金属材などから形成され得る。
【００６３】
カバーユニット４００は、ミドルユニット２００に対して回転可能にミドルユニット２００に結合され得る。もちろん、前述のようにカバーユニット４００が回転ユニット３００とかみ合う時、カバーユニット４００は回転ユニット３００と共に一方向に回転できる。
【００６４】
このようなカバーユニット４００は、放射方向に突出した対応係止部４１０を有する。対応係止部４１０は、ミドルユニット２００に提供された上部係止部２７０ａと下部係止部２７０ｂの間に嵌合されるかまたは上部係止部２７０ａの外側（上側）に配置され得る。このようにカバーユニット４００は、ベースユニット１００からの距離が可変され回転ユニット３００とかみ合うか回転ユニット３００から離隔され得る。
【００６５】
具体的に、対応係止部４１０が上部係止部２７０ａと下部係止部２７０ｂの間の第１空間に位置するか、上部係止部２７０ａの外側（図２基準の上側）の第２空間に位置（図５に示した状態）することによって、カバーユニット４００のベースユニット１００からの距離が可変される。そして、対応係止部４１０が第１空間に位置する時にはカバーユニット４００は回転ユニット３００とかみ合って回転ユニット３００と共に一方向に回転でき、対応係止部４１０が第２空間に位置する時にはカバーユニット４００が回転ユニット３００から離隔することによって第１逆回転防止部２５０と第２逆回転防止部４６０が互いに離れるようになる。したがって、回転ユニット３００がカバーユニット４００の動きと関係なく一方向またはその反対方向の他方向に回転できる。
【００６６】
カバーユニット４００は、中間部分の−ｚ方向に第２かみ合い部４５０を有する。第２かみ合い部４５０が凸の突出形状であると図示しているが、凹溝形状であってもよいなど回転ユニット３００の第１かみ合い部３１０の形状によって対応する形状に変形できる。このような第２かみ合い部４５０が前述の回転ユニット３００の第１かみ合い部３１０とかみ合う場合、回転ユニット３００はカバーユニット４００と共に回転できる。この時、第１かみ合い部３１０と第２かみ合い部４５０が互いにかみ合っているにもかかわらず回転ユニット３００とカバーユニット４００が互いに対して空回りすることを防止するために、第１かみ合い部３１０と第２かみ合い部４５０のｘｙ平面での断面形状は多角形、楕円または非対称的に歪んだ円などの多様な形状を有し、ピンとピン孔の構成を有してもよい。
【００６７】
一方、カバーユニット４００は、中心軸４３０を有する。そして、対応係止部４１０はこの中心軸４３０から放射方向に延長されたフランジ形態に形成されてもよい。このような中心軸４３０の＋ｚ方向上部にはカバー板４２０が配置されてもよい。
【００６８】
カバー板４２０の周縁がほぼ９０度ベンディングされた部分と理解できる側面板４４０は、カバーユニット４００がミドルユニット２００に結合される時、図２に示されているように、ミドルユニット２００の外周部の少なくとも一部を覆うことができる。図２では側面板４４０がミドルユニット２００の上部ハウジング２１０の外周面の大部分を覆うものと示している。
【００６９】
このようなカバーユニット４００の各種構成要素は、合成樹脂材または金属材などから一体に形成することができる。もちろん、カバーユニット４００の一部構成要素は中心軸４３０などと区分された別個の構成要素として中心軸４３０などに結合されたものであってもよく、この場合、そのような一部構成要素は合成樹脂材または金属材などから形成することができる。
【００７０】
このような本発明の第１実施形態によるストリング巻取り装置の場合、対応係止部４１０が上部係止部２７０ａと下部係止部２７０ｂの間の第１空間に位置する時、カバーユニット４００は回転ユニット３００とかみ合って回転ユニット３００と共に一方向に回転でき、これによってストリングが回転ユニット３００の外周面に巻き取られるようになる。
【００７１】
そして、対応係止部４１０が上部係止部２７０ａの上側の第２空間に位置する時（図５参照）、カバーユニット４００が回転ユニット３００から離隔することによって回転ユニット３００がカバーユニット４００の動きと関係なく一方向と反対方向の他方向、即ち、巻出方向に回転できる。したがって、回転ユニット３００の外周面に巻取られたストリングが巻き出されるようになる。即ち、カバーユニット４００の対応係止部４１０とミドルユニット２００との相対位置によってストリングの巻取りまたは巻出が行われる。
【００７２】
本発明の第１実施形態によるストリング巻取り装置の場合、ミドルユニット２００の上部係止部２７０ａまたは下部係止部２７０ｂが損傷した場合には、ベースユニット１００、回転ユニット３００、そしてカバーユニット４００はそのままにしておき、ミドルユニット２００のみを交替することができる。このような本発明の第１実施形態は維持補修を迅速且つ容易にすることができる利点を有する。さらに、本発明の第１実施形態による巻取り装置の場合、維持補修のために特別な専門技術または特定の工具の使用が必要なく、単純にスクリューフィッティングされた部品を交替するか、交替される部品を挿入することで維持補修可能であるため使用者が直接容易に維持補修使用できる長所を有する。
【００７３】
以下、本発明のストリング巻取り装置の第１実施形態をさらに詳細に説明する。
図１乃至図５に示された本発明の第１実施形態（２段構成の第１実施形態）によれば、全体装置が２段構成からなり、その高さを低くすることができる。
【００７４】
より詳細に説明すれば、カバーユニット４００とミドルユニット２００の間の係止部２７０と対応係止部４１０、第１逆回転防止部２５０と第２逆回転防止部４６０、そしてカバーユニット４００と回転ユニット３００の間の第１かみ合い部３１０と第２かみ合い部４５０が全て第１段（Ｉ）に含まれる。そして、ストリングを巻き取ることができる回転ユニット３００の第１羽部３２１と第２羽部３２２が第２段（ＩＩ）に含まれる。その結果、図２に示したストリング巻取り装置の全体的な高さ（または厚さ）が既存のものに比べて相対的に低くなる。このようにストリング巻取り装置の高さを低くしたものは運動靴のひも締め具にも使用することができるのみならず補正下着などのひも締め具にも使用することができる。特に、本発明の実施形態を補正下着に適用する場合には着用感を向上させ、外部に突出するものを最少化させて服の着こなしを向上させることができる。
【００７５】
以下、それぞれの構成をより詳細に説明する。まず、第１逆回転防止部２５０と第２逆回転防止部４６０において、ミドルユニット２００の第１逆回転防止部２５０が隔壁２４０から上部に延長された上部ハウジング２１０上に形成される。本発明の第１実施形態では、第１逆回転防止部２５０が上部ハウジング２１０上に位置して係止部２７０および対応係止部４１０と同一区域の第１段（Ｉ）内に存在する。
【００７６】
対応係止部４１０は、中心軸４３０から放射方向に延長されたディスクまたはフランジ形態を有する。そして、対応係止部４１０はミドルユニット２００の係止部２７０と相互把持作用をして、カバーユニット４００がミドルユニット２００に対して＋ｚまたは−ｚ方向に相対移動できる。
【００７７】
ミドルユニット２００の係止部２７０は、ワイヤーでフォーミングされた線ばねや弾性フレクチャー（Ｆｌｅｘｕｒｅ）などから構成することができる。即ち、係止部２７０を構成する上部係止部２７０ａと下部係止部２７０ｂはワイヤーでフォーミングされた線ばねや弾性フレクチャーを用いることができる。
【００７８】
図３は、図２のＡ−Ａ´線を切断して平面側から見た部分断面図であって、係止部２７０の上部係止部２７０ａがミドルユニット２００の装着突起２６０に結合されている状態を示している。即ち、係止部２７０の上部係止部２７０ａはミドルユニット２００の内側に別途に形成された装着突起２６０に、ｘｙ平面上で見る時、一定の間隔で離れて２列に固定されて設置され得る。本発明の実施形態において、係止部２７０の下部係止部２７０ｂは、図面に示されてはいないが、上部係止部２７０ａの下部に上部係止部２７０ａと同様な形態に装着突起２６０に結合され得る。
【００７９】
また、図４は図３の係止部２７０の上部係止部２７０ａがミドルユニット２００の装着突起２６０に結合された状態の他の例示を示す図であって、係止部２７０の上部係止部２７０ａがミドルユニット２００の装着突起２６０にほぼ三角形形状を成しながら設置され得る。図４で説明する例示は、図３の係止部２７０の上部係止部２７０ａの設置形態を多様にすることができることを示す。
【００８０】
また、上部係止部２７０ａと下部係止部２７０ｂを含む係止部２７０がミドルユニット２００の装着突起２６０に結合される他の例示として、係止部２７０が装着突起２６０の一側にのみ設置されてもよく、平面視で見て多角形、湾曲または折り曲げられた曲線などの多様な形態に設置されてもよい。このように、線ばねや弾性フレクチャーから構成された弾性体の係止部２７０を使用すれば、係止および解除作用がさらにスムースに行われ耐久性も向上する。
【００８１】
また、本発明の他の例示として、係止部２７０が線ばねや弾性フレクチャーから形成されることの代わりに、ミドルユニット２００の側面から中央部に突出する突起部からなることも可能である。このような例示はミドルユニット２００を成形する時に、係止部２７０の役割を果たす突起部も同時に成形することができて、部品の数を減らし生産費用を減らすことができる利点がある。
【００８２】
係止部２７０は、前述のように上部係止部２７０ａと弾性下部係止部２７０ｂが＋ｚ方向に離隔するように配置される。
【００８３】
対応係止部４１０は上部係止部２７０ａと下部係止部２７０ｂの間に配置されてもよく（図２参照）、上部係止部２７０ａの外側（上側）に配置（図５参照）されてもよい。このように対応係止部４１０の配置位置によってカバーユニット４００はベースユニット１００からの距離が可変されて回転ユニット３００とかみ合うか回転ユニット３００とのかみ合いが解除され得る。
【００８４】
即ち、図２のように、対応係止部４１０が上部係止部２７０ａと下部係止部２７０ｂの間に位置するようになると、回転ユニット３００の第１かみ合い部３１０とカバーユニット４００の第２かみ合い部４５０が互いにかみ合う。そして、これと同時にミドルユニット２００の第１逆回転防止部２５０とカバーユニット４００の第２逆回転防止部４６０も互いに結合される。
【００８５】
その結果、使用者がカバーユニット４００を回転させると、これとかみ合って回転ユニット３００が回転されながらストリングが巻き取られる。この時、第１逆回転防止部２５０と第２逆回転防止部４６０によってカバーユニット４００が反対に回転することを防止し、一定の長さだけ回転ユニット３００に巻取られたストリングが再び緩まない。
【００８６】
その次に、図５のように、使用者はカバーユニット４００を上側（＋ｚ方向）に引いて対応係止部４１０を上部係止部２７０ａの上側に配置させる。そうすれば、第１かみ合い部３１０と第２かみ合い部４５０が互いに結合された状態が解除され、第１逆回転防止部２５０と第２逆回転防止部４６０も互いに結合された状態が解除される。
【００８７】
そして、ミドルユニット２００の装着突起２６０の上端に顎部２８０を形成して対応係止部４１０が上部係止部２７０ａから完全に離脱することを防止することができる。このように、カバーユニット４００と回転ユニット３００の結合状態が解除されると、回転ユニット３００に巻き取られていたストリングが自体の復原力によって自然に巻出され得る。
【００８８】
以下、図７と図８に示される本発明の第２実施形態（２段構成の第２実施形態）を説明する。本発明の第２実施形態の説明において前述の例の説明と同一の部分はその説明で代置し、異なる点のみを説明する。
【００８９】
本発明の第２実施形態は、カバーユニット４００とミドルユニット２００の間に配置される係止部２７０と対応係止部４１０、第１逆回転防止部２５０と第２逆回転防止部４６０、そしてカバーユニット４００と回転ユニット３００の間の第１かみ合い部３１０と第２かみ合い部４５０が第１段（Ｉ）に含まれる。
【００９０】
そして、回転ユニット３００のストリングを巻き取る第１羽部３２１と第２羽部３２２が第２段（ＩＩ）に含まれる。このような本発明の第２実施形態は、ストリング巻取り装置の全体的な高さを低める役割を果たすことができる。
【００９１】
以下、それぞれの構成をより詳細に説明する。第１逆回転防止部２５０と第２逆回転防止部４６０はｚ方向に沿って互いに対向して配置される。
【００９２】
即ち、ミドルユニット２００の第１逆回転防止部２５０は隔壁２４０上に＋ｚ方向に形成される。そして、ミドルユニット２００の第２逆回転防止部４６０が第１逆回転防止部２５０に対応する位置に形成される。その結果、隔壁２４０上に形成された第１逆回転防止部２５０と第２逆回転防止部４６０は、係止部２７０および対応係止部４１０と同一の区域の第１段（Ｉ）内に配置される。
【００９３】
そして、係止部２７０と対応係止部４１０は、カバーユニット４００からベースユニット１００に向かって突出した別途の突起が側面に形成される。この対応係止部４１０はミドルユニット２００の上部ハウジング２１０上に提供された係止部２７０と相互把持作用をしてカバーユニット４００がミドルユニット２００に対して相対移動が可能に結合される。ミドルユニット２００の係止部２７０はワイヤーフォーミングされた線ばねや弾性フレクチャー（Ｆｌｅｘｕｒｅ）などから構成され、ｘｙ平面上で見る時、２列または三角形形態を有するように固定設置されてもよい。
【００９４】
また、係止部２７０は上部係止部２７０ａと下部係止部２７０ｂが＋ｚ方向に離隔されるように配置され得る。対応係止部４１０が上部係止部２７０ａと下部係止部２７０ｂの相対位置によって、カバーユニット４００はベースユニット１００から距離が可変され回転ユニット３００とかみ合うか回転ユニット３００とのかみ合いが解除され得る。
【００９５】
即ち、図７のように、対応係止部４１０が下部係止部２７０ｂの下側に位置するようになると、第１かみ合い部３１０と第２かみ合い部４５０が互いにかみ合い、同時に第１逆回転防止部２５０と第２逆回転防止部４６０も互いに結合される。その結果、使用者がカバーユニット４００を回転させると、回転ユニット３００が回転されながらストリングが巻き取られる。この時、第１逆回転防止部２５０と第２逆回転防止部４６０によってカバーユニット４００が反対に回転することを防止する。したがって、回転ユニット３００の第１羽部３２１と第２羽部３２２の間に巻かれたストリングが再び緩まない。
【００９６】
その次に、図８のように、使用者がカバーユニット４００を上側に引いて対応係止部４１０を上部係止部２７０ａと下部係止部２７０ｂの間に位置させる。そうすれば、第１かみ合い部３１０と第２かみ合い部４５０が互いに離れ、第１逆回転防止部２５０と第２逆回転防止部４６０も互いに結合が解除される。このように、カバーユニット４００と回転ユニット３００の結合が解除されると、回転ユニット３００に巻き取られていたストリングが自体の復原力によって自然に巻出される。
【００９７】
以下、図９と図１０に示される本発明の第３実施形態（２段構成の第３実施形態）を説明する。本発明の第３実施形態の説明において前述の例の説明と同一の部分はその説明で代置し、異なる点のみを説明する。
【００９８】
本発明の第３実施形態は、カバーユニット４００とミドルユニット２００の間の係止部２７０と対応係止部４１０、第１逆回転防止部２５０と第２逆回転防止部４６０、そしてカバーユニット４００と回転ユニット３００の間の第１かみ合い部３１０と第２かみ合い部４５０の構成が第１段（Ｉ）に含まれる。
【００９９】
そして、回転ユニット３００のストリングを巻き取る第１羽部３２１と第２羽部３２２が第２段（ＩＩ）に含まれる。その結果、ストリング巻取り装置の全体的な高さを低めることができる。
【０１００】
前述の実施形態と比較してみる時、本発明の第３実施形態は次のような差異点を有する。係止部２７０はカバーユニット４００に提供される。そして、対応係止部４１０はミドルユニット２００に提供される。また、前述の実施形態では上下方向に係止部２７０が対を成して配置されたが、本発明の第３実施形態では一つの係止部２７０が設けられる。このような本発明の第３実施形態はさらに簡単な構造でストリング巻取り装置を実現することができる。
【０１０１】
一方、対応係止部４１０が外側に完全に離脱することを防止するためにカバーユニット４００の側面板４４０下端に顎部４８０が提供されることが好ましい。
【０１０２】
対応係止部４１０はカバーユニット４００の内周面に提供された係止部２７０と相互把持作用をすることによって、カバーユニット４００がミドルユニット２００に対してｚ方向に沿って相対移動できる。対応係止部４１０は線ばねや弾性フレクチャー（Ｆｌｅｘｕｒｅ）などから構成することができ、ｘｙ平面上で見る時、２列または三角形形態を有するように固定設置され得る。
【０１０３】
本発明の第３実施形態で、第１逆回転防止部２５０と第２逆回転防止部４６０は前述の第２実施形態と同様に配置され得る。即ち、第１逆回転防止部２５０はミドルユニット２００の隔壁２４０から＋Ｚ方向に提供される。そして、第２逆回転防止部４６０は第１逆回転防止部２５０に対応して配置される。
【０１０４】
図９のように、対応係止部４１０が係止部２７０の上側に位置するようになると、第１かみ合い部３１０と第２かみ合い部４５０が互いにかみ合う。そして、第１逆回転防止部２５０と第２逆回転防止部４６０も互いに結合される。
【０１０５】
その結果、使用者がカバーユニット４００を回転させると、これとかみ合って回転ユニット３００が回転されながらストリングが回転ユニット３００の第１羽部３２１と第２羽部３２２の間に巻き取られる。この時、カバーユニット４００は第１逆回転防止部２５０と第２逆回転防止部４６０の相互作用によって反対方向の回転が制限される。したがって、一定の長さだけ回転ユニット３００に巻き取られたストリングは再び緩まない。
【０１０６】
その次に、図１０のように、使用者がカバーユニット４００を上側に引いて対応係止部４１０を係止部２７０の下側に位置させる。そうすれば、第１かみ合い部３１０と第２かみ合い部４５０が互いに離れる。そして、第１逆回転防止部２５０と第２逆回転防止部４６０も互いに結合が解除される。このように、カバーユニット４００と回転ユニット３００の結合が解除されると、回転ユニット３００に巻き取られていたストリングが自体の復原力によって自然に巻き出される。
【０１０７】
以下、図１１と図１２に示される本発明の第４実施形態（２段構造の第４実施形態）を詳細に説明する。本発明の第４実施形態の説明において前述の例の説明と同一の部分はその説明で代置し、異なる点のみを説明する。
【０１０８】
本発明の第４実施形態は、カバーユニット４００とミドルユニット２００の間の係止部２７０と対応係止部４１０、第１逆回転防止部２５０と第２逆回転防止部４６０、そしてカバーユニット４００と回転ユニット３００の間に配置される第１かみ合い部３１０と第２かみ合い部４５０が第１段（Ｉ）に含まれる。そして、回転ユニット３００のストリングを巻き取る部分の第１羽部３２１と第２羽部３２２が第２段（ＩＩ）に含まれる。その結果、本発明の第４実施形態のストリング巻取り装置は高さが低くなり得る。
【０１０９】
本発明の第４実施形態の係止部２７０はカバーユニット４００に提供される。そして、対応係止部４１０はミドルユニット２００に提供される。本発明の第４実施形態の係止部２７０は上部係止部２７０ａと下部係止部２７０ｂを含む。しかし、係止部２７０は上部係止部２７０ａの構成でも適用が可能である。
【０１１０】
また、第１逆回転防止部２５０は、ミドルユニット２００の外周側に円周方向に沿って提供される。そして、第１逆回転防止部２５０に対応する第２逆回転防止部４６０は、カバーユニット４００の円周部分が中心側に折り曲げられて第１逆回転防止部２５０に接触される形態に形成される。このような第１逆回転防止部２５０と第２逆回転防止部４６０は少なくともいずれか一つが溝部または突起部からなり、互いに接触して一方向にのみ回転できる構造で構成されることが好ましい。このような第１逆回転防止部２５０と第２逆回転防止部４６０は前述の例と同一の構造が適用され得る。
【０１１１】
このように第１逆回転防止部２５０と第２逆回転防止部４６０の構成は前述の実施形態と異なり、ミドルユニット２００の内部に別途の隔壁を設置する必要がないため、ストリング巻取り装置の全体高さをさらに低めることができる。また、このような本発明の第４実施形態はストリング巻取り装置の全体高さをさらに低めることはもちろん、隔壁が省略されるので重量を減らすことができて、さらにコンパクトに製作することができ、製造費用も減らすことができる。
【０１１２】
このように構成された本発明の第４実施形態によれば、対応係止部４１０はカバーユニット４００の内周面上に形成された係止部２７０と相互把持作用をすることができる。したがって、カバーユニット４００がミドルユニット２００に対して回転が可能である。
【０１１３】
ミドルユニット２００の係止部２７０は線ばねや弾性フレクチャー（Ｆｌｅｘｕｒｅ）などから形成され、ｘｙ平面上で見る時、前述のように２列または三角形形態を有するように固定され得る。
【０１１４】
図１１のように、対応係止部４１０が上部係止部２７０ａの上側に位置するようになると、第１かみ合い部３１０と第２かみ合い部４５０が互いにかみ合う。そして、第１逆回転防止部２５０と第２逆回転防止部４６０も互いに結合される。
【０１１５】
その結果、使用者がカバーユニット４００を回転させると、カバーユニット４００と結合された回転ユニット３００が回転されながらストリングが巻き取られ得る。この時、第１逆回転防止部２５０と第２逆回転防止部４６０はカバーユニット４００が反対方向に回転することを防止する。したがって、一定の長さだけ回転ユニット３００の第１羽部３２１と第２羽部３２２の間の空間に巻取られたストリングが再び緩まなくなる。
【０１１６】
その次に、図１２のように、使用者がカバーユニット４００を上側に引いて対応係止部４１０を上部係止部２７０ａと下部係止部２７０ｂの間に位置させる。そうすれば、第１かみ合い部３１０と第２かみ合い部４５０が互いに離脱する。そして、これと同時に第１逆回転防止部２５０と第２逆回転防止部４６０も互いに結合が解除される。このように、カバーユニット４００と回転ユニット３００の結合が解除されると、回転ユニット３００に巻き取られていたストリングが自体の復原力によって自然に巻出される。
【０１１７】
以下、図１３と図１４に示された本発明の第５実施形態（１段構成の第５実施形態）を説明する。本発明の第５実施形態の説明において前述の例の説明と同一の部分はその説明で代置し、異なる点のみを説明する。
【０１１８】
本発明の第５実施形態のストリング巻取り装置は、係止部２７０と対応係止部４１０、第１逆回転防止部２５０と第２逆回転防止部４６０、そしてストリングを巻き取る第１羽部３２１と第２羽部３２２が第１段（Ｉ）に含まれる。その結果、前述の実施形態よりも相対的に高さがはるかに低くなり得る。
【０１１９】
前述の他の実施形態と区別される本発明の第５実施形態の最も大きな差異点としては、前述の例のミドルユニット２００とベースユニット１００が一体に形成されて一つのベースユニット１００として使用され、そして、前述の回転ユニット３００とカバーユニット４００が一体に形成されて一つのカバーユニット４００として使用される点である。
【０１２０】
その結果、本発明の第５実施形態は、前述のカバーユニット４００と回転ユニット３００の間に配置された第１かみ合い部と第２かみ合い部が省略され、構成がさらに簡単になる。
【０１２１】
また、本発明の第５実施形態によれば、カバーユニット４００の第１羽部３２１とベースユニット１００の上部内側面の間に第１逆回転防止部２５０と第２逆回転防止部４６０が配置される。
【０１２２】
即ち、本発明の第５実施形態では、第１逆回転防止部２５０が第１羽部３２１の外周面に提供され得る。そして、第２逆回転防止部４６０は、第１逆回転防止部２５０に対応する位置のベースユニット１００の内周面に提供され得る。
【０１２３】
このように本発明の第５実施形態は、カバーユニット４００にストリングを巻き取るための第１羽部３２１と第２羽部３２２、係止部２７０、第１逆回転防止部２５０を一体に成形して構成部品の数を減らすことによって、ストリング巻取り装置の高さをさらに低めることができる。
【０１２４】
以下、本発明の第５実施形態のストリング巻取り装置をさらに詳細に説明する。ベースユニット１００の対応係止部４１０は、カバーユニット４００の上部の側面板３８０の内周面に提供された係止部２７０と相互把持作用をして、カバーユニット４００がベースユニット１００に対して回転できる。また、対応係止部４１０が完全に離脱することを防止するために、カバーユニット４００の側面板３８０の先端部に中心方向にベンディングされる顎部４８０を含む。一方、本発明の第５実施形態の他の例示として、図１３の場合とは異なり、対応係止部がカバーユニット４００に形成され、係止部がベースユニット１００に形成されてもよい。
【０１２５】
本発明の第５実施形態のカバーユニット４００の係止部２７０はワイヤーでフォーミングされた線ばねや弾性フレクチャー（Ｆｌｅｘｕｒｅ）などから形成され、前述の例のように、ｘｙ平面上で見る時、２列または三角形形態を有してもよい。
【０１２６】
図１３のように、対応係止部４１０が係止部２７０の上側に位置するようになれば、第１逆回転防止部２５０と第２逆回転防止部４６０が互いに結合される。その結果、使用者がカバーユニット４００を回転させると、ストリングが第１羽部３２１と第２羽部３２２の間に巻き取られる。この時、第１逆回転防止部２５０と第２逆回転防止部４６０はカバーユニット４００が反対に回転することを防止する。従って、本発明の第５実施形態のストリング巻取り装置に一定の長さだけ巻取られたストリングが再び緩まない。
【０１２７】
その次に、図１４のように、使用者がカバーユニット４００を上側に引いて対応係止部４１０を係止部２７０の下側に位置させる。そうすれば、第１逆回転防止部２５０と第２逆回転防止部４６０が互いに離れる。このように、カバーユニット４００とベースユニット１００の間の結合が解除されると、カバーユニット４００に巻き取られていたストリングが自体の復原力によって自然に巻出される。
【０１２８】
以下、図１５と図１６に示される本発明の第６実施形態（１段構成の第６実施形態）を説明する。本発明の第６実施形態の説明において前述の例の説明と同一の部分はその説明で代置し、異なる点のみを説明する。
【０１２９】
本発明の第６実施形態のストリング巻取り装置は、係止部２７０と対応係止部４１０、第１逆回転防止部２５０と第２逆回転防止部４６０、そしてストリングを巻き取る第１羽部３２１と第２羽部３２２が第１段（Ｉ）に含まれる。その結果、本発明の第６実施形態のストリング巻取り装置は、前述の実施形態よりも相対的に高さがはるかに低くなり得る。このような本発明の第６実施形態は高さを十分に低く製作することができるため、補正下着のストリングを巻き取るのに適用される時、外部にストリング巻取り装置が突出することを最小化させて着用感を向上させると同時に、外観の美麗さが落ちるのを防止することができる。
【０１３０】
本発明の第６実施形態は、カバーユニット４００の第１羽部３２１に対応係止部４１０が設置され、カバーユニット４００の第２羽部３２２に第１逆回転防止部２５０が設置される。しかし、本発明の技術的思想はこれに限定されず、上記の場合とは反対にカバーユニット４００の第１羽部３２１に第１逆回転防止部が提供され、カバーユニット４００の第２羽部３２２に対応係止部が設置されることも可能である。
【０１３１】
以下、本発明の第６実施形態の構成をさらに詳細に説明する。カバーユニット４００の第１羽部３２１に形成された対応係止部４１０はベースユニット１００の係止部２７０と相互把持作用をして、カバーユニット４００がベースユニット１００に対して回転できる。また、対応係止部４１０がベースユニット１００から完全に離脱することを防止するために、ベースユニット１００の側面上端に顎部４８０を形成するのが好ましい。
【０１３２】
一方、本発明の第６実施形態の他の例示として、図１５に示される場合とは反対に、対応係止部がカバーユニット４００に提供され、係止部がベースユニット１００に提供されてもよい。
【０１３３】
ベースユニット１００の係止部２７０はワイヤーフォーミングされた線ばねや弾性フレクチャー（Ｆｌｅｘｕｒｅ）などから形成され、前述の例と同様に、ｘｙ平面上で見る時、２列または三角形形態を有してもよい。
【０１３４】
図１５のように、対応係止部４１０が係止部２７０の下側に位置するようになれば、第１逆回転防止部２５０と第２逆回転防止部４６０が互いに結合される。
【０１３５】
その結果、使用者がカバーユニット４００を回転させると、ストリングが第１羽部３２１と第２羽部３２２の間に巻き取られる。この時、第１逆回転防止部２５０と第２逆回転防止部４６０によってカバーユニット４００が反対に回転することが防止される。従って、本発明の第６実施形態のストリング巻取り装置は一定の長さだけ巻取られたストリングが再び緩まなくなる。
【０１３６】
その次に、図１６のように、カバーユニット４００を上側に引いて対応係止部４１０が係止部２７０の上側に位置するようになると、第１逆回転防止部２５０と第２逆回転防止部４６０の結合された状態が解除される。このように、カバーユニット４００とベースユニット１００の結合が解除されると、カバーユニット４００の第１羽部３２１と第２羽部３２２の間に巻き取られていたストリングが自体の復原力によって自然に巻出される。
【０１３７】
図１７は本発明の第７実施形態を説明するための斜視図であり、図１８と図１９は図１７の主要部を分解して示した分解斜視図であり、図２０は図１７を縦方向に切断して見た側断面図であって、ストリング巻取り装置を示している。
【０１３８】
本発明の第７実施形態は前述の説明と同一の部分はその説明で代置し、異なる点のみを説明し、同一の機能を果たす構成要素は前述の説明と同一の符号を付与して説明する。
【０１３９】
本発明の第７実施形態のストリング巻取り装置は、ベースユニット１００、カバーユニット４００、そして係止および逆回転防止用弾性部材５００を含む。
【０１４０】
ベースユニット１００には係止および逆回転防止用弾性部材５００が嵌合される嵌合部１５１が提供される。嵌合部１５１は、ベースユニット１００の内壁に沿って円周方向に間隔を置いて、長孔からなる。本発明の第７実施形態で、嵌合部１５１は一つまたは２つ以上からなってもよく、好ましくは３つからなり得る。
【０１４１】
本発明の第７実施形態で、係止および逆回転防止用弾性部材５００は、前述の実施形態と比較してみる時、係止部の役割を果たし、これと同時に逆回転防止部の役割を同時に果たすことができる。
【０１４２】
係止および逆回転防止用弾性部材５００は、カバーユニット４００との相互作用によってカバーユニット４００の逆回転を防止するか、またはベースユニット１００とカバーユニット４００が互いにかみ合うか、かみ合い状態が解除され得る。即ち、係止および逆回転防止用弾性部材５００は一つの構成部品でカバーユニット４００が逆回転するのを防止することができ、同時にカバーユニット４００がベースユニット１００側に移動するかその反対方向に移動して、カバーユニット４００が一定の姿勢を維持するようにする役割を果たすことができる。
【０１４３】
このような係止および逆回転防止用弾性部材５００は、便宜上、前述の構成要素と区別されるように別途の符号を付与して説明する。
【０１４４】
係止および逆回転防止用弾性部材５００は、線状の弾性体をベンディングして係止部２７０と第１逆回転防止部２５０を構成する。例えば、係止および逆回転防止用弾性部材５００は、係止部２７０はラウンド形にベンディングして３つの係止部２７０を形成し、これら係止部２７０の間を再び鋭くベンディングして第１逆回転防止部２５０を形成する。
【０１４５】
そして、係止部２７０はベースユニット１００の内側に配置させる。また、第１逆回転防止部２５０はベースユニット１００の外側に突出させて配置させる。言い換えれば、係止および逆回転防止用弾性部材５００は、ベースユニット１００に提供された長孔からなる嵌合部１５１に嵌合して、係止部２７０はベースユニット１００の内側に配置させ、第１逆回転防止部２５０は嵌合部１５１の長孔を貫通してベースユニット１００の外側に突出するように配置させる。
【０１４６】
カバーユニット４００は、ストリングが巻かれ放射状に延長される第１羽部３２１と第２羽部３２２を含む。そして、第１羽部３２１と第２羽部３２２の間にはストリングが受容される空間が提供される。
【０１４７】
カバーユニット４００には、前述の係止および逆回転防止用弾性部材５００に提供された係止部２７０に対応する対応係止部４１０が提供される。対応係止部４１０は第１羽部３２１が役割を果たすことができる。
【０１４８】
また、カバーユニット４００には、第１逆回転防止部２５０に結合されるか解除される第２逆回転防止部４６０が提供され得る。
【０１４９】
第２逆回転防止部４６０にはカバーユニット４００の内周面に沿って傾斜したギヤの歯が提供される。即ち、第２逆回転防止部４６０のギヤの歯の間に第１逆回転防止部２５０が嵌合された状態で配置され、カバーユニット４００が一方向に回転できる。もちろん、第１逆回転防止部２５０と第２逆回転防止部４６０の結合が解除された状態である場合にはカバーユニット４００が自由に回転できる状態となる。
【０１５０】
以下、このように構成される本発明の第７実施形態のストリング巻取り装置の作動に関して詳細に説明する。
【０１５１】
まず、使用者がカバーユニット４００に提供された第１羽部３２１と第２羽部３２２の間の空間にストリングを巻く過程を説明する。使用者はカバーユニット４００をベースユニット１００方向に加圧する（図２０に示した状態）。本発明の第７実施形態では第１羽部３２１が対応係止部４１０の役割を果たすので、係止部２７０の下部に位置する。このような状態は、第１逆回転防止部２５０と第２逆回転防止部４６０が互いに結合されて、カバーユニット４００が一方向にのみ回転が可能な状態となる。
【０１５２】
この時、対応係止部４１０は係止部２７０の弾性力を克服して係止部２７０の下方に移動する（図２０に示した状態）。
【０１５３】
このような状態で使用者がカバーユニット４００を回転させると、カバーユニット４００が一方向に回転すると共に、ストリングが第１羽部３２１と第２羽部３２２の間の空間に巻かれる。
【０１５４】
そして、使用者がカバーユニット４００を図２０の矢印方向に引けば、対応係止部４１０が係止部２７０の弾性力を克服して係止部２７０の上側に移動する。そうすると、第１逆回転防止部２５０と第２逆回転防止部４６０が互いに離れる。このような状態ではカバーユニット４００が自由に回転可能な状態となる。もちろん、カバーユニット４００にストリングが巻かれてストリングの張力が作用する場合には、ストリングの張力が作用する方向にカバーユニット４００が回転できる。
【０１５５】
図２２は本発明の第８実施形態を説明するためのストリング巻取り装置の斜視図であり、図２３は図２２の分解斜視図であり、図２４は本発明の第８実施形態のカバーユニットの底面斜視図であり、図２５は図２２を縦方向に切断して見た断面図であって、ストリング巻取り装置およびその構成部品を示した図である。
【０１５６】
本発明の第８実施形態の説明は、前述の例の説明と同一の部分についてはその説明で代置し、異なる部分のみを説明する。
【０１５７】
本発明の第８実施形態で、係止部２７０はベースユニット１００に提供された第１嵌合部１５２に嵌合される。そして、第１逆回転防止部２５０は第２嵌合部１５３に嵌合される。第１嵌合部１５２はベースユニット１００の円周方向に沿う長孔からなる。そして、第２嵌合部１５３はベースユニット１００の同様な長孔からなり、第１嵌合部１５２の上部、即ち、第１嵌合部１５２を基準にカバーユニット４００が配置された側に位置する。
【０１５８】
そして、第１逆回転防止部２５０は板状の弾性体がベンディングされて形成され、先端部がベースユニット１００の外側に突出して配置されてもよい。
【０１５９】
本発明の第８実施形態で、係止部２７０は前述の第７実施形態の係止および逆回転防止用弾性部材５００の係止部の役割を果たす。従って、本発明の第８実施形態の係止部２７０の作動説明はその説明で代置する。
【０１６０】
本発明の第８実施形態で、第１逆回転防止部２５０の先端部が第２逆回転防止部４６０を成すギヤの歯の間に嵌合されれば、カバーユニット４００は一方向に回転できる状態となる。
【０１６１】
従って、本発明の第８実施形態は、第７実施形態のような作用によって使用者がストリング巻取り装置の第１羽部３２１と第２羽部３２２の間の空間にストリングを巻くことができるようになる。
【０１６２】
図２６は本発明の第９実施形態を説明するためのストリング巻取り装置の斜視図であり、図２７は図２６の分解斜視図であり、図２８は本発明の第９実施形態のカバーユニットの底面斜視図であり、図２９は図２６を縦方向に切断して見た断面図であって、ストリング巻取り装置およびその構成部品を示した図である。
【０１６３】
本発明の第９実施形態の説明は、前述の例の説明と同一の部分はその説明で代置し、異なる部分のみを説明する。
【０１６４】
本発明の第９実施形態の係止部２７０は、上下部に２つがセットとして構成されてもよく、線状の弾性体から形成され、ベンディングされてラウンド形状に形成される。
【０１６５】
このような係止部２７０はベースユニット１００の内部に配置される。そして、カバーユニット４００に提供された対応係止部４１０が係止部２７０を乗り越えて、カバーユニット４００が上下方向（ベースユニットと近くなる方向または遠くなる方向）に移動して一定の姿勢を維持することができる。
【０１６６】
本発明の第９実施形態で、係止部２７０は上部係止部２７０ａと下部係止部２７０ｂを含んで２つからなる例を図示して説明しているが、これに限定されるのではなく、一つからなることも可能である。
【０１６７】
このような本発明の第９実施形態の係止部２７０は線状の弾性部材がラウンド形状を繰り返してベンディングされ、ラウンド形状部分の間にはベンディングされた他の形状（嵌合部に嵌合される突出した形状）を成して嵌合部１５１に嵌合されて固定された状態を維持することができる。
【０１６８】
そして、第１逆回転防止部２５０は板状の弾性体がベンディングされて形成される。第１逆回転防止部２５０はベンディングされた先端部の両側がベースユニット１００の内側面に向かって配置されてもよい。そして、第１逆回転防止部２５０はベンディングされた先端部が第２逆回転防止部４６０のギヤの歯に接触してカバーユニット４００が一方向にのみ回転できる構造を有する。即ち、第１逆回転防止部２５０はベンディングされた両端部分が互いに反対方向に向かって配置されている。
【０１６９】
このような第１逆回転防止部２５０はカバーユニット４００に提供された結合溝部４９０に嵌合結合され得る（図２８参照）。カバーユニット４００に提供される結合溝部４９０はカバーユニット４００の底面にベースユニット１００に向かって開口部を成す長溝からなり得る。
【０１７０】
一方、カバーユニット４００には係止部２７０に対応する対応係止部４１０が提供される。カバーユニット４００に提供される対応係止部４１０は第１羽部３２１がその役割を代えて行うことができる。
【０１７１】
本発明の第９実施形態の係止部２７０の作動説明は、前述の第８実施形態の説明で代置することにする。
【０１７２】
第２逆回転防止部４６０はベースユニット１００の内周面に沿って連続的なギヤの歯形状に形成され、ギヤの歯は傾斜して第１逆回転防止部２５０のベンディングされた両端にかかってカバーユニット１００を一方向にのみ移動させることができる。即ち、本発明の第９実施形態で、第１逆回転防止部２５０のベンディングされた先端部が第２逆回転防止部４６０を成すギヤの歯の間に嵌合されればカバーユニット４００は一方向に回転できる状態となる。
【０１７３】
従って、本発明の第９実施形態は第８実施形態のような作用によって使用者がストリング巻取り装置の第１羽部３２１と第２羽部３２２の間の空間にストリングを巻くことができるようになる。
【０１７４】
図３０は本発明の第１０実施形態を説明するためのストリング巻取り装置の斜視図であり、図３１は図３０の分解斜視図であり、図３２は本発明の第１０実施形態のカバーユニットの底面斜視図であり、図３３は図３０に示したストリング巻取り装置を縦方向に切断して見た断面図であって、ストリング巻取り装置およびその構成部品を示した図である。
【０１７５】
本発明の第１０実施形態の説明は、前述の第８実施形態の説明と同一の部分はその説明で代置し、異なる部分のみを説明する。
【０１７６】
本発明の第１０実施形態は第８実施形態と比較してみるとき、ベースユニット１００がベース板１１０と下部ハウジング１２０に分離され、回転ユニット３００とカバーユニット４００が分離された点に違いがある。即ち、本発明の第８実施形態はベース板１１０、下部ハウジング１２０、回転ユニット３００、そしてカバーユニット４００がシャフト５１０によって結合され得る。このような本発明の第１０実施形態は本発明を多様に構成することができることを示す。本発明の第１０実施形態は第８実施形態と作用効果は同一である。
【０１７７】
以上を通じて本発明の好ましい実施形態について説明したが、本発明はこれに限定されるのではなく、特許請求の範囲と発明の詳細な説明および添付した図面の範囲内で多様に変形して実施することが可能であり、これも本発明の範囲に属するのは当然である。
【符号の説明】
【０１７８】
１００      ベースユニット
１１０      ベース板
１１１      通孔
１２０      下部ハウジング
１２１      第１側面貫通ホール
１２２      第２側面貫通ホール
１３０      回転支持部
１３２      回転支持突出部
２００      ミドルユニット
２１０      上部ハウジング
２４０      隔壁
２５０      第１逆回転防止部
３００      回転ユニット
３１０      第１かみ合い部
４００      カバーユニット
４５０      第２かみ合い部
４６０      第２逆回転防止部
【図１】
0006599008.tif 000002
【図２】
0006599008.tif 000003
【図３】
0006599008.tif 000004
【図４】
0006599008.tif 000005
【図５】
0006599008.tif 000006
【図６】
0006599008.tif 000007
【図７】
0006599008.tif 000008
【図８】
0006599008.tif 000009
【図９】
0006599008.tif 000010
【図１０】
0006599008.tif 000011
【図１１】
0006599008.tif 000012
【図１２】
0006599008.tif 000013
【図１３】
0006599008.tif 000014
【図１４】
0006599008.tif 000015
【図１５】
0006599008.tif 000016
【図１６】
0006599008.tif 000017
【図１７】
0006599008.tif 000018
【図１８】
0006599008.tif 000019
【図１９】
0006599008.tif 000020
【図２０】
0006599008.tif 000021
【図２１】
0006599008.tif 000022
【図２２】
0006599008.tif 000023
【図２３】
0006599008.tif 000024
【図２４】
0006599008.tif 000025
【図２５】
0006599008.tif 000026
【図２６】
0006599008.tif 000027
【図２７】
0006599008.tif 000028
【図２８】
0006599008.tif 000029
【図２９】
0006599008.tif 000030
【図３０】
0006599008.tif 000031
【図３１】
0006599008.tif 000032
【図３２】
0006599008.tif 000033
【図３３】
0006599008.tif 000034